(57)【特許請求の範囲】
【請求項１】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
手動でピント調整部材を操作することによってピント合わせを行うマニュアルフォーカス機能と、
前記ピント調整部材に手が触れているか否かを検出するセンサと、
前記センサによって前記ピント調整部材に手が触れていることが検出されると、前記撮像手段による全撮影画像から所定の部分画像を切り出し、該切り出した部分画像を前記画像表示手段の画面に拡大表示させる拡大処理手段と、
を備えたことを特徴とする電子カメラ。
【請求項２】
前記画像表示手段が前記部分画像を拡大表示している間、該画像表示手段での表示が拡大表示中であることを警告する警告手段を有することを特徴とする請求項１に記載の電子カメラ。
【請求項３】
前記警告手段は、前記画像表示手段での表示が拡大表示中であることを示すアイコンを前記画像表示手段に表示させることを特徴とする請求項２に記載の電子カメラ。
【請求項４】
前記アイコンは、虫眼鏡を示すアイコンであることを特徴とする請求項３に記載の電子カメラ。
【発明の詳細な説明】
【０００１】
【発明の属する技術分野】
本発明は電子カメラに係り、特にファインダとして使用可能な液晶モニタ等の画像表示装置を備えた電子カメラに関する。
【０００２】
【従来の技術】
従来、デジタタルカメラ等の電子カメラに使用される固体撮像素子の画素数は、少ないもので３０万画素から多いもので１４０万画素まであり、画素数が多くなる傾向にある。
一方、電子カメラに設けられた液晶モニタの画素数は、６万画素からせいぜい１０万画素位のものが多い。
【０００３】
【発明が解決しようとする課題】
従って、画素数の少ない液晶モニタをファインダとして使用する場合には、記録やプリント出力に必要な精度のピント状態を確認することができず、このため電子カメラで撮像した画像をパソコンの画面に表示し、あるいはプリンタで印画して初めてピンぼけが分かる場合がある。
【０００４】
本発明はこのような事情に鑑みてなされたもので、画素数の多い固体撮像素子で撮像される画像のピント状態を画素数の少ない画像表示手段で確認することができ、また、マニュアルでピント合わせを精度良く行うことができる電子カメラを提供することを目的とする。
【０００５】
【課題を解決するための手段】
前記目的を達成するために、本願請求項１に係る発明は、被写体を示す画像光を固体撮像素子の受光面に結像し、前記固体撮像素子の受光面に結像された画像光を画像信号に変換する撮像手段と、前記撮像手段によって得られた画像信号を記録する記録手段と、前記固体撮像素子の画素数よりも画素数が少ない画像を表示する画像表示手段と、手動でピント調整部材を操作することによってピント合わせを行うマニュアルフォーカス機能と、前記ピント調整部材に手が触れているか否かを検出するセンサと、前記センサによって前記ピント調整部材に手が触れていることが検出されると、前記撮像手段による全撮影画像から所定の部分画像を切り出し、該切り出した部分画像を前記画像表示手段の画面に拡大表示させる拡大処理手段と、を備えたことを特徴としている。
【０００６】
即ち、ピント調整部材に手が触れたことが検出されると、画像表示手段に表示される画像は、撮像手段から得られる全撮影画像から所定の部分画像が切り出され、その切り出された部分画像が拡大表示される。これにより、実際に撮像される画像のピント状態を精度よく確認することができる。尚、撮像手段から得られる全撮影画像の画素数は、画像表示手段の画素数よりも多いため、前記切り出した部分画像を拡大して表示する場合でも、画像表示手段が必要とする画素数を充分に得ることができる。
また、手動でピント調整部材を操作することによってピント合わせを行うマニュアルフォーカス機能を設けることにより、マニュアルでピント合わせを精度良く行うことができる。
請求項２に示すように請求項１に記載の電子カメラにおいて、前記画像表示手段が前記部分画像を拡大表示している間、該画像表示手段での表示が拡大表示中であることを警告する警告手段を有することを特徴としている。
請求項３に示すように請求項２に記載の電子カメラにおいて、前記警告手段は、前記画像表示手段での表示が拡大表示中であることを示すアイコンを前記画像表示手段に表示させることを特徴としている。
請求項４に示すように請求項３に記載の電子カメラにおいて、前記アイコンは、虫眼鏡を示すアイコンであることを特徴としている。
【００１１】
【発明の実施の形態】
以下添付図面に従って本発明に係る電子カメラの好ましい実施の形態について詳説する。
図１は本発明に係る電子カメラの実施の形態を示すブロック図である。
この電子カメラは、シャッタレリーズボタン１０（図２参照）の操作により静止画をメモリカード１２に記録するデジタルカメラであり、液晶モニタ１４を有している。この液晶モニタ１４は、撮影時には被写体像を表示することができる電子ビューファインダとして機能し、再生時にはメモリカード１２に記録した静止画を表示するモニタとして機能する。
【００１２】
このデジタルカメラでの撮影時（レリーズ全押しによる静止画の記録時に限らず、レリーズ半押し時又はムービー時に動画を液晶モニタ１４に表示させる場合も含む）には、撮影レンズ１６を介して固体撮像素子（ＣＣＤ）１８の受光面に結像した被写体像は、ここで光電変換されてＣＣＤ信号として順次読み出され、画像信号処理回路２０に加えられる。ここで、ＣＣＤ１８は、液晶モニタ１４の画素数よりも多いものが使用されている。
【００１３】
画像信号処理回路２０は、ホワイトバランス調整回路、ガンマ補正回路、ＹＣ処理回路を含み、これらの回路によって処理した画像データを画像記録装置２２、オートフォーカス装置（ＡＦ装置）２４、及び表示範囲選択回路２８に出力する。画像記録装置２２は、圧縮回路、カードインタフェース等を有しており、シャッタレリーズボタン１０が操作されると、画像信号処理回路２０のＹＣ処理回路からＹＣ信号（輝度信号Ｙとクロマ信号Ｃ）を受入し、このＹＣ信号を圧縮し、その圧縮した画像データをカードインタフェースを介してメモリカード１２に記録する。
【００１４】
ＡＦ装置２４は、ＡＦスイッチ２６がＯＮされると動作可能となり、画像信号処理回路２０から入力する輝度信号Ｙに基づいてコントラストＡＦを行う。即ち、ＡＦ装置２４は、画像信号処理回路２０から入力する輝度信号Ｙの高周波成分を抽出し、この高周波成分を積分することにより撮影コマの合焦状態を示す評価値を求める。そして、この評価値が極大となるように撮影レンズ１６を制御する。尚、この撮影レンズ１６は、マニュアルフォーカス機能を有しており、ＡＦスイッチ２６がＯＦＦされている場合には、手動でフォーカスリング等のピント調整部材を操作することによってピント合わせを行うことができるようになっている。
【００１５】
表示範囲選択回路２８は、通常は画像信号処理回路２０から入力する１コマ全体の画像信号をそのまま表示回路３０に出力し、一方、拡大スイッチ３２がＯＮされた場合又は前記ＡＦスイッチ２６がＯＦＦされている場合には動作可能となり、１コマ全体から所定の部分画像を切り出し、その切り出した部分画像を示す画像信号を表示回路３０に出力する。
【００１６】
表示回路３０は、表示範囲選択回路２８から入力する画像信号に基づいて液晶モニタ１４の画面全体に画像を表示させる。従って、レリーズ半押し中又はムービー時には、被写体の画像がリアルタイム又はリアルタイムではないが、ほぼ連続した動画として液晶モニタ１４に表示され、これにより液晶モニタ１４の画面を見ながらスチル撮影する被写体の構図等を決めることができる。
【００１７】
次に、前記表示範囲選択回路２８から１コマ全体の画像信号が出力される場合と、１コマ全体から部分画像が切り出され、その切り出された部分画像を示す画像信号が出力される場合の作用について説明する。
いま、図２に示すように被写体１を撮影すると、前述したように表示範囲選択回路２８は、通常は１コマ全体の画像信号をそのまま表示回路３０に出力する。この場合、表示範囲選択回路２８から入力する画像信号の画素数（ＣＣＤ１８の画素数）は、液晶モニタ１４の画素数よりも多いため、表示回路３０は、液晶モニタ１４の画素数に一致するように入力する画像信号の水平方向及び垂直方向の画素数を減じて（所定の割合で画素を間引いて）液晶モニタ１４に出力する。
【００１８】
これにより、液晶モニタ１４には、図３（Ａ）に示すように撮影している１コマ全体の画像が表示される。
一方、拡大スイッチ３２がＯＮされると、表示範囲選択回路２８は、１コマ全体から部分画像を切り出し、その切り出した部分画像を示す画像信号を表示回路３０に出力する。この場合、表示範囲選択回路２８から入力する部分画像の画像信号の画素数が減少するため、表示回路３０は、入力する部分画像の画像信号をそのまま、又は通常の場合よりも画素の間引き率を小さくして液晶モニタ１４に出力する。
【００１９】
これにより、液晶モニタ１４には、図３（Ｂ）に示すように撮影している１コマ全体から切り出された部分画像が拡大表示される。また、同図（Ｂ）に示すように部分画像を拡大表示している間、液晶モニタ１４での表示が拡大表示中であることを警告表示する。この実施の形態では、虫眼鏡を示すアイコン３４を液晶画面中に表示するようにしている。
【００２０】
このように、拡大スイッチ３２をＯＮにすると、液晶モニタ１４に表示される画像が拡大表示されるため、実際に撮像される画像のピント状態を精度よく確認することができる。尚、ＣＣＤ１８の画素数は、液晶モニタ１４の画素数よりも多いため、１コマ全体から切り出した部分画像を拡大表示しても、液晶モニタ１４が必要とする画素数を充分に得ることができる。
【００２１】
また、この実施の形態では、ＡＦスイッチ２６がＯＦＦされ、手動でピント調整部材を操作することによってピント合わせを行うマニュアルフォーカスが可能になると、前記拡大スイッチ３２がＯＦＦであっても、ＯＮされたと同様に液晶モニタ１４に部分画像を拡大表示するようにしている。これにより、部分画像を拡大表示している液晶モニタの画面を見ながらマニュアルでピント合わせを精度良く行うことができる。
【００２２】
本発明の他の実施の形態として、撮影レンズ１６のピント調整部材に手が触れているか否かを検出するタッチセンサ等のセンサを設け、このセンサによってピント調整部材に手が触れていることが検出されている期間中、液晶モニタに部分画像を拡大表示させるようにしてもよい。
また、マクロ撮影に切り換えるマクロスイッチを設け、このマクロスイッチによってマクロ撮影に切り換えられると、液晶モニタに部分画像を拡大表示させるようにしてもよい。更に、液晶モニタをＯＮ／ＯＦＦさせる表示スイッチを設け、前記マクロスイッチによってマクロ撮影に切り換えられると、液晶モニタを強制的にＯＮにし、液晶モニタに部分画像を拡大表示させるようにしてもよい。即ち、液晶モニタがＯＦＦの場合には、光学ファインダを使用するが、マクロ撮影時にはパララックスが大きくなるため、液晶モニタを強制的にＯＮにし、液晶モニタの画面を見ながらピント合わせを行うことができる。
【００２３】
更にまた、液晶モニタ１４の画面に拡大エリアを指定するためのタッチパネルを設け、このタッチパネルによって拡大エリアを指定すると、その指定した拡大エリアに対応する部分画像を切り出し、この切り出した部分画像を液晶モニタに拡大表示させるようにしてもよい。
尚、オートフォーカス装置及び記録媒体は、この実施の形態のものに限らない。また、この実施の形態では、デジタルカメラについて説明したが、これに限らず、本発明は固体撮像素子の画素数が画像表示器の画素数よりも多いカメラであれば、ビデオカメラ等にも適用できる。
【００２４】
【発明の効果】
以上説明したように本発明に係る電子カメラによれば、画素数の多い固体撮像素子で撮像される画像のピント状態を画素数の少ない画像表示手段で確認することができ、また、マニュアルでピント合わせを精度良く行うことができる。
【図面の簡単な説明】
【図１】図１は本発明に係る電子カメラの実施の形態を示すブロック図である。
【図２】図２は図１に示した電子カメラでの撮影状態を示す斜視図である。
【図３】図３は図２に示した電子カメラの液晶モニタの表示画面を示す図である。
【符号の説明】
１…被写体
１０…シャッタレリーズボタン
１２…メモリカード
１４…液晶モニタ
１６…撮影レンズ
１８…固体撮像素子（ＣＣＤ）
２０…画像信号処理回路
２２…画像記録装置
２４…オートフォーカス装置
２６…ＡＦスイッチ
２８…表示範囲選択回路
３０…表示回路
３２…拡大スイッチ
【図１】
0004088944.tif 000002
【図２】
0004088944.tif 000003
【図３】
0004088944.tif 000004